(57)【要約】【課題】組み付けの作業性向上を図る。【解決手段】水栓装置Ａは、バルブ装置２５の一方の端部に設けた軸状支持部３５と、バルブ装置２５の他方の端部に設けたバルブ側嵌合部４８と、軸状支持部３５及びバルブ側嵌合部４８と同軸の回動軸Ｐを中心とする回動操作が可能であり、回動軸Ｐに沿って延びた形態の操作部５１を有する流路切換用ハンドル５０と、操作部５１の一方の端部に設けられ、軸状支持部３５に対し軸線方向への相対変位を可能に外嵌可能なリング状支持部５２と、操作部５１の他方の端部に設けられ、バルブ側嵌合部４８に対し軸線方向に嵌合されるハンドル側嵌合部５６とを備え、流路切換用ハンドル５０をバルブ装置２５に取り付けた状態では、リング状支持部５２が軸状支持部３５の先端側に配される。【選択図】図４
2020026615.tif 000002
【特許請求の範囲】
【請求項１】
給水機能を有するバルブ装置と、
前記バルブ装置の一方の端部に設けられた軸状支持部と、
前記バルブ装置の他方の端部に前記軸状支持部と同軸状に設けられたバルブ側嵌合部と、
前記軸状支持部及び前記バルブ側嵌合部と同軸の回動軸を中心とする回動操作が可能であり、前記回動軸に沿って延びた形態の操作部を有するハンドルと、
前記操作部の一方の端部に設けられ、前記軸状支持部に対し軸線方向への相対変位を可能に外嵌可能なリング状支持部と、
前記操作部の他方の端部に設けられ、前記バルブ側嵌合部に対し軸線方向に嵌合されるハンドル側嵌合部とを備え、
前記ハンドルを前記バルブ装置に取り付けた状態では、前記リング状支持部が前記軸状支持部の先端側に配されていることを特徴とする水栓装置。
【請求項２】
前記軸状支持部の外径は前記リング状支持部の内径より小さい寸法とされ、
前記軸状支持部の外周と前記リング状支持部の内周との間にはスペーサが介装されていることを特徴とする請求項１記載の水栓装置。
【請求項３】
前記スペーサの外周に、前記リング状支持部の相対回転可能域を規定するストッパが設けられていることを特徴とする請求項２記載の水栓装置。
【発明の詳細な説明】
【技術分野】
【０００１】
本発明は、水栓装置に関する。
【背景技術】
【０００２】
特許文献１には、給水機能を有する本体部と、給水操作を行うための操作レバーとを備えた水栓装置が開示されている。操作レバーは本体部の全幅に亘る長さを有しており、操作レバーの左端部にはリング状の支持部が一体に形成されている。操作レバーの右端部には、切替ハンドルが取り付けられている。リング状の支持部は、水栓本体の左端部において切替バルブに相対回転可能に外嵌されている。切替ハンドルは、本体部の切替バルブの右端部に対し外嵌した状態で一体回転し得るように連結されている。
【先行技術文献】
【特許文献】
【０００３】
【特許文献１】特開２００７−２０５４２４号公報
【発明の概要】
【発明が解決しようとする課題】
【０００４】
操作レバーの左端部に位置するリング状支持部と、操作レバーの右端部に位置する切替ハンドルは、切替バルブの左右両端部に外嵌され、本体部の左右両側面に隣接した状態で配置されるので、操作レバーと切替ハンドルを別体部品とせざるを得ない。そして、操作レバーを本体部に組み付ける際には、切替ハンドルを切替バルブの右端部に固定する工程と、操作レバーのリング状支持部を切替バルブの左端部に外嵌する工程と、操作レバーと切替ハンドルをビス止めにより固定する工程とが必要である。そのため、上記従来の水栓装置は、組み付けの際の作業性が良くないという問題がある。
【０００５】
本発明は、上記従来の実情に鑑みてなされたものであって、組み付けの作業性向上を図ることを解決すべき課題としている。
【課題を解決するための手段】
【０００６】
本発明の水栓装置は、
給水機能を有するバルブ装置と、
前記バルブ装置の一方の端部に設けられた軸状支持部と、
前記バルブ装置の他方の端部に前記軸状支持部と同軸状に設けられたバルブ側嵌合部と、
前記軸状支持部及び前記バルブ側嵌合部と同軸の回動軸を中心とする回動操作が可能であり、前記回動軸に沿って延びた形態の操作部を有するハンドルと、
前記操作部の一方の端部に設けられ、前記軸状支持部に対し軸線方向への相対変位を可能に外嵌可能なリング状支持部と、
前記操作部の他方の端部に設けられ、前記バルブ側嵌合部に対し軸線方向に嵌合されるハンドル側嵌合部とを備え、
前記ハンドルを前記バルブ装置に取り付けた状態では、前記リング状支持部が前記軸状支持部の先端側に配されていることを特徴とする。
【０００７】
尚、本発明において、給水機能は、給水温度を調節するための温度調節機能と、給水形態を止水、シャワー及びカランのいずれかに切り換えるための流路切換機能とを含む。また、給水操作は、給水温度を調節するための温度調節操作や、給水形態を止水、シャワー及びカランのいずれかに切り換えるための流路切換操作を意味する。
【発明の効果】
【０００８】
ハンドルをバルブ装置に組み付ける際には、リング状支持部を、軸状支持部の先端側から軸線方向へ移動させながら基端側へ外嵌した後、ハンドル側嵌合部を軸線方向へ移動させながらバルブ側嵌合部に嵌合させる。バルブ装置に対するハンドルの組付けは、操作部とリング状支持部とハンドル側嵌合部を一体化させた状態のままで行うことができる。したがって、操作部からリング状支持部やハンドル側嵌合部を分離した状態で組付けを行う場合に比べると、作業工程が少なくて済むので、作業性が良い。
【図面の簡単な説明】
【０００９】
【図１】実施例１の水栓装置の斜視図
【図２】水栓装置の分解斜視図
【図３】流路切換用ハンドルの組み付け工程において、リング状支持部を軸状支持部に外嵌している状態をあらわす斜視図
【図４】流路切換用ハンドルの組み付け工程において、ハンドル側嵌合部をバルブ側嵌合部に嵌合した状態をあらわす斜視図
【図５】流路切換用ハンドルの組み付け工程において、流路切換用ハンドルの板状支持部をバルブ装置に固定する前の状態をあらわす斜視図
【図６】流路切換用ハンドルの組み付け工程において、温度調節用ハンドルをバルブ装置に組み付ける前の状態をあらわす斜視図
【図７】流路切換用ハンドルの分解斜視図
【図８】ハンドル側嵌合部とバルブ側嵌合部の嵌合構造をあらわす部分拡大一部切欠平面図
【図９】軸状支持部とリング状支持部とスペースの組み付け構造をあらわす部分拡大一部切欠平面図
【図１０】スペーサのストッパとリング状支持部の係止突起との位置関係をあらわす部分拡大一部切欠正面図
【発明を実施するための形態】
【００１０】
本発明の水栓装置は、前記軸状支持部の外径は前記リング状支持部の内径より小さい寸法とされ、前記軸状支持部の外周と前記リング状支持部の内周との間にはスペーサが介装されていてもよい。この構成によれば、リング状支持部を軸状支持部の先端側から基端側へ移動させる過程で、操作部をバルブ装置の軸線に対して傾けることができるので、ハンドル側支持部がバルブ側嵌合部の外周と干渉することを防止できる。また、ハンドル側嵌合部をバルブ側嵌合部に嵌合した後は、軸状支持部の外周とリング状支持部の内周との間にスペーサを介装することにより、バルブ装置に対するハンドルの傾きを防止できる。
【００１１】
本発明の水栓装置は、前記スペーサの外周に、前記リング状支持部の相対回転可能域を規定するストッパが設けられていてもよい。この構成によれば、スペーサとは別に設けた専用部材にストッパを設ける場合に比べると、部品点数が少なくて済む。
【００１２】
＜実施例１＞
以下、本発明を具体化した実施例１を図１〜図１０を参照して説明する。尚、以下の説明において、前後の方向については、図１，２，６における斜め右下方、図３〜５における斜め左下方、図８，９における下方を、夫々、前方と定義する。上下の方向については、図１〜７，１０にあらわれる向きを、そのまま上方、下方と定義する。左右の方向については、図１〜１０にあらわれる向きを、そのまま左方、右方と定義する。
【００１３】
本実施例１の水栓装置Ａは、図２に示すように、水栓本体１０と、温度調節用ハンドル３０と、流路切換用ハンドル５０（請求項に記載のハンドル）とを備えて構成されている。水栓本体１０は、ハウジング１１とバルブ装置２５とを備えて構成され、全体として幅寸法に比べて高さ寸法の小さい偏平なブロック状をなす。
【００１４】
ハウジング１１は、アッパカバー１２とロアカバー１３とリヤカバー１４とを合体させたものである。ハウジング１１内にはバルブ装置２５が収容されている。アッパカバー１２の上面のうち前後方向中央より前方（手前側）の位置には、左右方向に細長いアクセントライン１５が設けられている。
【００１５】
図１に示すように、アッパカバー１２の上面の左端部には、給水温度を調節する際の操作性を高める手段として温度調節用標示１６が配されている。温度調節用標示１６は、アクセントライン１５の左端部で構成された温度標示１７と、前後一対の温調操作用標示１８とから構成されている。温度標示１７は、４０℃の文字等により温度を示すものである。一対の温調操作用標示１８は、温度調節用ハンドル３０の操作方向を示すものであり、温度標示１７より奥側（後方）に「Ｈ」の文字が表示され、温度標示１７の手前側（前方）には「Ｃ」の文字が表示されている。
【００１６】
アッパカバー１２の上面の右端部には、給水形態を止水、シャワー及びカラン（水栓装置Ａから洗い場や浴槽へ給水するための下向きの吐水口）のいずれかに切り換える際の操作性を高める手段として、流路切換用標示１９が配されている。流路切換用標示１９は、アクセントライン１５の右端部によって構成された止水標示２０と、前後一対の切換操作用標示２１とから構成されている。一対の切換操作用標示２１は、シャワーとカランを切り換える際の流路切換用ハンドル５０の操作方向を示すものであり、止水標示２０の奥側（後方）にはシャワーを示す図柄が表示され、止水標示２０の手前側（前方）にはカランを示す図柄が表示されている。
【００１７】
バルブ装置２５は、給水温度を調節するための温度調節機能と、給水形態を止水、シャワー及びカランのいずれかに切り換えるための流路切換機能を備えている。バルブ装置２５は、固定状態で設けられるバルブケース２６（図２〜４を参照）と、温度調節用バルブユニット２７（図９を参照）と、流路切換用バルブユニット４５（図８を参照）とを備えている。
【００１８】
温度調節用バルブユニット２７は、左右方向の回動軸Ｐを中心として回動することで温度調節機能を発揮する温度調節用弁体２８を有しており、バルブケース２６の左側領域内に収容されている。バルブケース２６の左端面からは、温度調節用弁体２８の左端部に形成された温度調節用連結部２９が突出している。温度調節用連結部２９には、温度調節用ハンドル３０が一体回転可能に連結されている。
【００１９】
温度調節用ハンドル３０は、給水温度を調節するための操作（給水操作）を行う手段であり、温度調節用ハンドル３０の外周面が温度調節用の操作面３１となっている。温度調節用ハンドル３０は、操作面３１より小径であって操作面３１より右方へ突出した形態の突起状連結部３２を有している。突起状連結部３２の突出端部を温度調節用連結部２９にボルト３３で固着することにより、温度調節用ハンドル３０が、温度調節用弁体２８と一体的に回動し得るように、且つハウジング１１の左側面から左方へ突出した形態で取り付けられている。
【００２０】
図４，９に示すように、バルブケース２６の左端面からは、温度調節用連結部２９と突起状連結部３２を同軸状に包囲する円筒形の軸状支持部３５が突出している。軸状支持部３５には、円筒形をなすスペーサ３６が同軸状に外嵌されている。スペーサ３６は、円筒形の筒状部材３７と、円環形のリング状部材４０とを組み付けて構成されている。筒状部材３７のうち左端部を除いた大部分の領域は、ハウジング１１内に収容されている。図１０に示すように、筒状部材３７の外周左端部には、周方向のリブ３８Ｌ，３８Ｒが左右に間隔を空けて一対形成されている。
【００２１】
一対のリブ３８Ｌ，３８Ｒの間には、リング状部材４０が相対回転を許容され、且つ左右方向の相対移動を規制された状態で取り付けられている。リング状部材４０の外周には摺接面４１が形成されている。左右一対のリブ３８Ｌ，３８Ｒのうち右側のリブ３８Ｒは、全周に亘って連続した形態ではなく、周方向における一部が切欠された形態である。右側のリブ３８Ｒのうち切欠領域の両端部は、ストッパ３９として機能する。
【００２２】
図８に示すように、流路切換用バルブユニット４５は、温度調節用弁体２８と同軸状の回動軸Ｐを中心として回動することで吐水形態切換え機能を発揮する流路切換用弁体４６を有している。流路切換用バルブユニット４５はバルブケース２６の右側領域内に収容されている。バルブケース２６の右端面からは、流路切換用弁体４６の右端部の流路切換用連結部４７が突出している。バルブケース２６の右端面からは、円筒形をなすバルブ側嵌合部４８が、流路切換用弁体４６及び軸状支持部３５と同軸状に突出している。バルブ側嵌合部４８はハウジング１１内に収容されている。
【００２３】
流路切換用弁体４６には、流路切換用ハンドル５０の右端部が取り付けられている。流路切換用ハンドル５０は、給水形態を止水、シャワー及びカランのいずれかに切り換えるための流路切換操作（給水操作）を行う手段であり、水栓本体１０（バルブ装置２５）に支持されている。
【００２４】
流路切換用ハンドル５０は、回動軸Ｐと略平行に細長く延びた操作部５１を有する。操作部５１は、流路切換用ハンドル５０を揺動させる際に指や手を当てて押し操作するための部位である。操作部５１は、操作性を高めるため、水栓本体１０の全幅領域に亘る長さを有している。
【００２５】
流路切換用ハンドル５０は、操作部５１の左端部から略直角に延出した形態のリング状支持部５２を有している。リング状支持部５２は、回動軸Ｐと平行に視た側面視において円形に開口する孔部５３を有している。孔部５３の内径は、軸状支持部３５の外径より大きく、リング状部材４０の摺接面４１の外径とほぼ同じ寸法されている。図７，１０に示すように、孔部５３の周方向における一部には、径方向内向きに突出した形態の係止突起５４が形成されている。
【００２６】
流路切換用ハンドル５０は、操作部５１の右端部から略直角に延出した形態の円形の板状支持部５５と、板状支持部５５の左面から同軸状に突出した形態のハンドル側嵌合部５６とを有している。ハンドル側嵌合部５６は、板状支持部５５とは別体の部品である。流路切換用ハンドル５０をバルブ装置２５に組み付ける工程では、予め、ビス５７とナット５８によって板状支持部５５に固定されている。ハンドル側嵌合部５６の外径は、バルブ側嵌合部４８の内径と略同じ寸法に設定されている。
【００２７】
次に、流路切換用ハンドル５０をバルブ装置２５に組み付ける手順について説明する。組付けの際には、予め、バルブ装置２５からハウジング１１を外し、軸状支持部３５とバルブ側嵌合部４８をバルブケース２６の左右両側面から突出させた状態にしておく。この状態で、図３に示すように、リング状支持部５２を、バルブ装置２５の左方から軸状支持部３５に外嵌する。
【００２８】
このとき、リング状支持部５２の内径寸法は軸状支持部３５の外径より大きいので、流路切換用ハンドル５０を回動軸Ｐ（バルブ装置２５の軸線）に対して斜めにしておく。これにより、ハンドル側嵌合部５６とバルブ側嵌合部４８が軸線方向において重なるように位置していても、ハンドル側嵌合部５６をバルブ側嵌合部４８に対して回動軸Ｐと交差する方向へ離間させることができるので、ハンドル側嵌合部５６とバルブ側嵌合部４８が干渉することはない。
【００２９】
図３の状態から、リング状支持部５２を、軸状支持部３５の基端側（バルブケース２６の左側面に接近する側）へ移動させると、ハンドル側嵌合部５６がバルブ側嵌合部４８の突出端（右端）よりも更に右方の位置まで移動する。この後、流路切換用ハンドル５０の姿勢を変えて、ハンドル側嵌合部５６をバルブ側嵌合部４８と同軸状に対向させる。
【００３０】
次に、流路切換用ハンドル５０を左方へ移動させることにより、図４に示すように、ハンドル側嵌合部５６をバルブ側嵌合部４８内に嵌入する。このとき、リング状支持部５２は軸状支持部３５の左端（先端）より更に左方へ外れた位置まで移動している。
【００３１】
ハンドル側嵌合部５６をバルブ側嵌合部４８内に嵌入した後は、図８に示すように、ハンドル側嵌合部５６を、ボルト５９により流路切換用弁体４６の流路切換用連結部４７に対し一体回転転し得るように固着する。ハンドル側嵌合部５６を流路切換用弁体４６に固着した後、キャップ６０を板状支持部５５に取り付けることにより、ボルト５９を覆い隠す。
【００３２】
この後、筒状部材３７にリング状部材４０を取り付けた形態のスペーサ３６を、左方からリング状支持部５２の孔部５３に内嵌しつつ、軸状支持部３５に外嵌する。スペーサ３６を軸状支持部３５に外嵌した状態では、筒状部材３７の内周が軸状支持部３５の外周に径方向のガタ付きなく嵌合されるとともに、リング状部材４０の摺接面４１がリング状支持部５２の孔部５３の内周に嵌合される。また、孔部５３の係止突起５４は、右側のリブ３８Ｒのうちストッパ３９の間の切欠領域内に位置するようにする。スペーサ３６を組み付けた後、温度調節用ハンドル３０の突起状連結部３２を、スペーサ３６（筒状部材３７）及び軸状支持部３５の中空内に挿入する。
【００３３】
挿入した突起状連結部３２を、ボルト３３により温度調節用連結部２９に対し一体回転し得るように固着する。これにより、温度調節用ハンドル３０が温度調節用弁体２８に対し一体回転し得るように取り付けられる。温度調節用ハンドル３０を温度調節用弁体２８に取り付けた後、キャップ６１によってボルト３３を覆い隠す。
【００３４】
以上により、バルブ装置２５に対する流路切換用ハンドル５０の組付け作業と温度調節用ハンドル３０の組付け作業が完了する。この後、バルブ装置２５にハウジング１１を取り付ければ、水栓装置Ａの組付けが完了する。流路切換用ハンドル５０は、操作部５１の左右両端部（ハンドル側嵌合部５６とリンク状支持部）においてバルブ装置２５に支持され、回動軸Ｐを支点として回動し得るようになっている。
【００３５】
本実施例１の水栓装置Ａは、給水機能を有するバルブ装置２５と、流路切換用ハンドル５０とを有する。バルブ装置２５の一方の端部（左端部）には軸状支持部３５が設けられ、バルブ装置２５の他方の端部（右端部）には、バルブ側嵌合部４８が軸状支持部３５と同軸状に設けられている。流路切換用ハンドル５０は、軸状支持部３５及びバルブ側嵌合部４８と同軸の回動軸Ｐを中心として回動操作することが可能であり、回動軸Ｐに沿って延びた形態の操作部５１を有している。
【００３６】
操作部５１の一方の端部（左端部）には、軸状支持部３５に対し回動軸Ｐと平行な軸線方向への相対変位を可能に外嵌可能なリング状支持部５２が設けられている。操作部５１の他方の端部（右端部）には、バルブ側嵌合部４８に対し回動軸Ｐと平行な軸線方向に嵌合されるハンドル側嵌合部５６が設けられている。流路切換用ハンドル５０をバルブ装置２５に取り付けた状態では、リング状支持部５２が軸状支持部３５の先端側に配されている。
【００３７】
尚、本実施例１において、給水機能は、給水温度を調節するための温度調節機能と、給水形態を止水、シャワー及びカランのいずれかに切り換えるための流路切換機能とを含む。また、給水操作は、給水形態を止水、シャワー及びカランのいずれかに切り換えるための流路切換操作を意味する。
【００３８】
流路切換用ハンドル５０をバルブ装置２５に組み付ける際には、リング状支持部５２を、軸状支持部３５の先端側から回動軸Ｐと平行に軸線方向へ移動させながら基端側へ外嵌し、その後、ハンドル側嵌合部５６を軸線方向へ移動させながらバルブ側嵌合部４８に嵌合させる。バルブ装置２５に対する流路切換用ハンドル５０の組付けは、操作部５１とリング状支持部５２とハンドル側嵌合部５６を一体化させた状態のままで行うことができる。したがって、操作部５１からリング状支持部５２やハンドル側嵌合部５６を分離した状態で組付けを行う場合に比べると、作業工程が少なくて済むので、作業性が良い。
【００３９】
また、軸状支持部３５の外径はリング状支持部５２の内径より小さい寸法とされている。そして、軸状支持部３５の外周とリング状支持部５２の内周との間には、スペーサ３６（筒状部材３７とリング状部材４０）とが介装されている。この構成によれば、リング状支持部５２を軸状支持部３５の先端側から基端側へ移動させる過程で、流路切換用ハンドル５０（操作部５１）をバルブ装置２５の軸線（回動軸Ｐ）に対して傾けることができるので、ハンドル側支持部がバルブ側嵌合部４８の外周と干渉することを防止できる。
【００４０】
また、ハンドル側嵌合部５６をバルブ側嵌合部４８に嵌合した後は、軸状支持部３５の外周とリング状支持部５２の内周との間にスペーサ３６を介装することにより、リング状支持部５２が軸状支持部３５に対して径方向へ相対変位することはない。したがって、流路切換用ハンドル５０がバルブ装置２５に対して傾くことを防止できる。
【００４１】
また、スペーサ３６を構成する筒状部材３７の外周には、リング状支持部５２の係止突起５４を係止させることで、リング状支持部５２（流路切換用ハンドル５０）の相対回転可能域を規定するストッパ３９が設けられている。この構成によれば、スペーサ３６（筒状部材３７）とは別に設けた専用部材にストッパを設ける場合に比べると、部品点数が少なくて済む。本実施例１のスペーサ３６は、流路切換用ハンドル５０の傾きを防止する機能と、リング状支持部５２（流路切換用ハンドル５０）の回動可能域を規定する機能とを兼ね備えた多機能部材である。
【００４２】
＜他の実施例＞
本発明は上記記述及び図面によって説明した実施例に限定されるものではなく、例えば次のような実施例も本発明の技術的範囲に含まれる。
（１）上記実施例では、流路切換用ハンドルをバルブ装置に組み付けた状態では、リング状支持部が軸状支持部の先端より更に先端側へ外れた位置にあるが、流路切換用ハンドルをバルブ装置に組み付けた状態で、リング状支持部が軸状支持部の先端より基端側の位置に配されていてもよい。
（２）上記実施例では、スペーサにリング状支持部の相対回転可能域を規定するストッパを設けたが、スペーサは、このようなストッパを有しない形態であってもよい。
（３）上記実施例では、スペーサが、流路切換用ハンドルの傾きを防止する機能と、リング状支持部の回動可能域を規定する機能とを兼ね備えているが、スペーサとは別に設けた専用部材にストッパを設けてもよい。
（４）上記実施例では、ハンドル側嵌合部がバルブ側嵌合部の内部に嵌入するようになっているが、ハンドル側嵌合部は、バルブ側嵌合部の外周に外嵌するようになっていてもよい。
（５）上記実施例では、請求項記載のハンドルが流路切換操作を行うためのものであるが、本発明は、ハンドルが温度調節を行うためのものである場合にも適用することができる。
（６）上記実施例では、水栓本体がバルブ装置とハウジングとから構成されているが、水栓本体はバルブ装置だけで構成されたものであってもよい。
【符号の説明】
【００４３】
Ａ…水栓装置
Ｐ…回動軸
２５…バルブ装置
３５…軸状支持部
３６…スペーサ
３９…ストッパ
４８…バルブ側嵌合部
５０…流路切換用ハンドル（ハンドル）
５１…操作部
５２…リング状支持部
５６…ハンドル側嵌合部
【図１】
2020026615.tif 000003
【図２】
2020026615.tif 000004
【図３】
2020026615.tif 000005
【図４】
2020026615.tif 000006
【図５】
2020026615.tif 000007
【図６】
2020026615.tif 000008
【図７】
2020026615.tif 000009
【図８】
2020026615.tif 000010
【図９】
2020026615.tif 000011
【図１０】
2020026615.tif 000012